(57)【要約】【課題】  照射方向を容易に変更することができ、利便性を向上させた照明器具を提供すること。【解決手段】  器具本体２と電灯４とを備えた照明器具１において、上記器具本体２の下面に凸曲面からなる載置面２ａが形成され、上記器具本体２の上面部に上記電灯４の取付部３が設けられ、上記器具本体２には照明器具１全体の重心の位置を変える重心位置変更手段１０が設けられていることを特徴とする。これにより、器具本体２の姿勢を変更すると、重心位置変更手段により、器具本体２の重心位置が変更する。【選択図】        図２
2006253064.tif 000002
【特許請求の範囲】
【請求項１】
器具本体と電灯とを備えた照明器具において、
上記器具本体の下面に凸曲面からなる載置面が形成され、上記器具本体の上面部に上記電灯の取付部が設けられ、上記器具本体には照明器具全体の重心の位置を変える重心位置変更手段が設けられていることを特徴とする照明器具。
【請求項２】
上記重心位置変更手段が、上記器具本体に設けられたガイド部と、このガイド部に移動可能に設けられ、移動することによって照明器具全体の重心の位置を変更する可動錘とを有することを特徴とする請求項１に記載の照明器具。
【請求項３】
上記重心位置変更手段が、上記可動錘の移動を規制する移動規制手段を有していることを特徴とする請求項２に記載の照明器具。
【請求項４】
上記ガイド部が収容空間を有し、上記可動錘が上記収容空間に移動可能に収容された流動体からなり、上記流動体の容積が上記収容空間の容積より小さく設定されていることを特徴とする請求項２に記載の照明器具。
【請求項５】
上記流動体が粒状体であることを特徴とする請求項４に記載の照明器具。
【請求項６】
上記収容空間の下面には、上記粒状体の移動を規制する突起部が設けられていることを特徴とする請求項５に記載の照明器具。
【請求項７】
上記載置面が、球面によって構成されていることを特徴とする請求項１に記載の照明器具。
【請求項８】
上記重心位置変更手段が、上記載置面の中央とこの載置面を構成する球面の中心とを結ぶ中心線と直交する平面に沿い、かつ上記中心線を中心として環状に形成された収容空間と、この収容空間に移動可能に収容された流動体とを有し、上記流動体の容積が上記収容空間の容積より小さく設定されていることを特徴とする請求項７に記載の照明器具。
【請求項９】
上記流動体が粒状体であることを特徴とする請求項８に記載の照明器具。
【請求項１０】
上記収容空間の下面には、上記粒状体の移動を規制する突起部が設けられていることを特徴とする請求項９に記載の照明器具。
【請求項１１】
上記突起部が、上記収容空間の周方向へ互いに離間して複数設けられていることを特徴とする請求項１０に記載の照明器具。
【請求項１２】
上記機器本体には、可動部材が所定の接続位置と切断位置との間を上下方向へ移動可能に設けられるとともに、上記電灯と電源との間を断続する切換スイッチが設けられ、上記機器本体が上下逆になったときには、自重によって上記接続位置から上記切断位置まで移動した上記可動部材により、上記切換スイッチが接続状態から切断状態に切り換えられることを特徴とする請求項１〜１１のいずれかに記載の照明器具。
【請求項１３】
上記可動部材が、上記機器本体に設けられた筒体に移動可能に設けられた球体であることを特徴とする請求項１２に記載の照明器具。
【発明の詳細な説明】
【技術分野】
【０００１】
この発明は、照明光の照射方向を変えることができる照明器具に関する。
【背景技術】
【０００２】
従来のこの種の照明器具としては、下記特許文献１に記載のものがある。この特許文献１に記載の照明器具は、器具本体と、この器具本体に取り付けられる反射板とを備えている。器具本体は、平板状をなしており、反射板との対向面には一対のファスナの一方が取り付けられている。反射板は、電灯の光を反射するものであり、器具本体との対向面が凸曲面によって構成されている。この凸曲面には、一対のファスナの他方が取り付けられている。そして、機器本体に取り付けられたファスナと反射板に取り付けられたファスナとを係合させることにより、反射板が器具本体に取り付けられている。しかも、一対のファスナの係合箇所を変えることによって、反射板の向き、つまり照明器具の照射方向を変えることができるようになっている。
【特許文献１】特開平６−１５０７１２号公報
【発明の開示】
【発明が解決しようとする課題】
【０００３】
しかしながら、上記従来の照明器具においては、互いに係合した一対のファスナの係合を解除する際に大きな力が必要であるので、一対のファスナの係合箇所を所望の位置に変えることが難しい。このため、照射方向を所望の方向へ向けることが困難であるという問題があった。
【０００４】
本発明は、このような事情に鑑みてなされたものであって、照射方向を容易に変更することができ、利便性を向上させた照明器具を提供することを目的としている。
【課題を解決するための手段】
【０００５】
上記の問題を解決するために、この発明は、  器具本体と電灯とを備えた照明器具において、上記器具本体の下面に凸曲面からなる載置面が形成され、上記器具本体の上面部に上記電灯の取付部が設けられ、上記器具本体には照明器具全体の重心の位置を変える重心位置変更手段が設けられていることを特徴としている。
この場合、上記重心位置変更手段が、上記器具本体に設けられたガイド部と、このガイド部に移動可能に設けられ、移動することによって照明器具全体の重心の位置を変更する可動錘とを有するものであってもよい。
上記重心位置変更手段は、上記可動錘の移動を規制する移動規制手段を有していることが望ましい。
上記ガイド部が収容空間を有し、上記可動錘が上記収容空間に移動可能に収容された流動体によって構成してもよく、そのようにする場合には、上記流動体の容積が上記収容空間の容積より小さく設定される。上記流動体は、粒状体であることが望ましい。上記収容空間の下面には、上記粒状体の移動を規制する突起部を設けることが望ましい。
上記載置面が、球面によって構成されていることが望ましい。その場合には、上記重心位置変更手段が、上記載置面の中央とこの載置面を構成する球面の中心とを結ぶ中心線と直交する平面に沿い、かつ上記中心線を中心として環状に形成された収容空間と、この収容空間に移動可能に収容された流動体とを有し、上記流動体の容積が上記収容空間の容積より小さく設定される。上記流動体は、粒状体であるこが望ましい。
上記収容空間の下面には、上記粒状体の移動を規制する突起部が設けられていることが望ましく、  上記突起部が、上記収容空間の周方向へ互いに離間して複数設けられていることがさらに望ましい。
上記機器本体には、可動部材が所定の接続位置と切断位置との間を上下方向へ移動可能に設けられるとともに、上記電灯と電源との間を断続する切換スイッチが設けられ、上記機器本体が上下逆になったときには、自重によって上記接続位置から上記切断位置まで移動した上記可動部材により、上記切換スイッチが接続状態から切断状態に切り換えられることが望ましい。
上記可動部材が、上記機器本体に設けられた筒体に移動可能に設けられた球体であることが望ましい。
【発明の効果】
【０００６】
この発明の照明器具によれば、器具本体の姿勢を変えることによって電灯による照射方向を変えることができる。しかも、器具本体の姿勢を変えると、それに応じて可動錘が移動し、照明装置全体の重心が移動する。この重心の移動により、器具本体の姿勢が変更後の姿勢に維持され、ひいては照射方向が変更後の照射方向に維持される。したがって、照射方向を所望の方向へ容易に変えることができる。
【発明を実施するための最良の形態】
【０００７】
以下、この発明の実施の形態について図面を参照して説明する。
図1〜図６は、この発明に係る照明器具の第１実施の形態を示している。図1及び図2に示すように、この実施の形態の照明器具１は、中空の器具本体２を備えている。この器具本体２の下面は、照明器具１を水平な床面Ｆ（図３及び図５参照）等に載置する際に当該床面Ｆに接触する載置面２ａになっている。この載置面２ａは、球面の一部によって構成されている。載置面２ａを構成する球面は、載置面２ａの中央を通る鉛直線上に中心点Ｃを位置させている。したがって、載置面２ａの中央と球面の中心点Ｃとを通る線（以下、中心線という。）Ｌを鉛直方向に向けたとき（以下、このときの照明器具１及び器具本体２の姿勢を中立姿勢という。）には、載置面２ａの中央部が他の部位より下側に位置する。したがって、照明器具１を中立姿勢にして床面Ｆに載置すると、載置面２ａの中央部が床面Ｆに接触する。
【０００８】
載置面２ａは、器具本体２の下面全体に形成することなく、下面の中央を含む所定の範囲にだけ形成してもよい。また、載置面２ａは、球面によって構成することなく、楕円面、水平線に沿って延びる円筒面、その他の凸曲面によって構成してもよい。さらに、この実施の形態では、器具本体２を中立姿勢にしたとき、載置面２ａの外周部が載置面２ａを構成する球面の中心点Ｃより上側に位置しているが、中心点Ｃより下側に位置させてもよい。
【０００９】
器具本体２の上面には、反射面２ｂが形成されている。この反射面２ｂは、曲率中心を中心線Ｌ上に位置させた凹球面によって構成されている。反射面２ｂは、焦点を中心線Ｌ上に位置させた放物面によって構成してもよく、中心線Ｌと直交する平面によって構成してもよい。
【００１０】
器具本体２の内部には、配線Ｗを介して電源（図示せず）に接続されるソケット（取付部）３が設けられている。ソケット３は、その上面に開口する装着孔３ａを有しており、その装着孔３ａの軸線を中心線Ｌと一致させた状態で器具本体２に配置されている。装着孔３ａには、反射面２ｂの中央部を貫通した電球（電灯）４が着脱可能に取り付けられている。電球４に代えて蛍光灯を用いてもよい。勿論、その場合には、電球４用のソケット３に代えて蛍光灯用のソケットが器具本体２に取り付けられる。
【００１１】
器具本体２の内部には、支持筒５が設けられている。この支持筒５は、器具本体２を中立姿勢にしたときに、支持筒５の軸線が上下方向（鉛直方向）を向くように配置されている。支持筒５の上端部には、プッシュ式の切換スイッチ６が設けられている。この切換スイッチ６は、ソケット３（電球４）と電源との間を電気的に断続するためのものであり、支持筒５内に臨んで配置されたプッシュ釦６ａを有している。切換スイッチ６は、通常時には電源とソケット３との間を電気的に接続しているが、プッシュ釦６ａが上方へ押されると、電源とソケット３との間を電気的に切断する。
【００１２】
支持筒５内には、球体（可動部材）７が支持筒５の軸線方向へ移動可能に挿入されている。球体７は、支持筒５の上下が逆にならない限り、器具本体２の下壁部に支持された図２に示す接続位置に位置している。支持筒５の上下が逆になると、球体７は、その自重によって切換スイッチ６に突き当たる切断位置まで支持筒５の上端側へ移動する。切断位置に移動した球体７は、プッシュ釦６ａを押し、切換スイッチ６を接続状態から切断状態に切り替える。したがって、電球４の点灯中に照明装置が上下逆になるようにひっくり返った場合には、電球４が自動的に消灯される。
【００１３】
器具本体２の内部には、重心位置変更手段１０が設けられている。この重心位置変更手段１０は、収容空間１１と、この収容空間１１に収容された多量の粒状体（可動錘）１２とを備えている。収容空間１１は、器具本体２の内部に、外部に対して密閉された密閉空間として形成されている。収容空間１１は、器具本体２の上端部に中心線Ｌと直交する平面に沿って配置されており、中心線Ｌを中心として環状に形成されている。収容空間１１は、器具本体２が中立姿勢になっているとき、載置面２ａを構成する球面の中心点Ｃより上側に配置されているが、中心点Ｃより下側に配置してもよい。
【００１４】
粒状体１２は、例えば直径が０．６ｍｍ程度の金属球からなるものであり、収容空間１１の内部にその長手方向（中心線Ｌを中心とする周方向）へ移動可能に収容されている。しかも、粒状体１２全体の容積は、収容空間１１の容積より小さく設定されている。したがって、粒状体１２が収容空間１１内をその長手方向に移動して、その一方の側に偏在すると、それに応じて照明器具１全体の重心Ｇが移動する。
【００１５】
すなわち、図２及び図３に示すように、いま器具本体２が中立姿勢になっているものとする。このときには、図３及び図４に示すように、粒状体１２全体の上面が中心線Ｌと直交する平面を構成しており、粒状体１２の高さが収容空間１１のいずれの部位においても等しくなっている。以下、このときの粒状体１２の高さを平均高さという。粒状体１２の高さが平均高さになっているときには、照明器具１全体の重心Ｇが中心線Ｌ上に位置し、しかも載置面２ａを構成する球面の中心点Ｃより下側に位置している。したがって、器具本体２は、中立姿勢に維持される。図５に示すように、載置面２ａがその中央から外れた部位において床面Ｆに接触するように、器具本体２を中立姿勢から傾斜させると、図５及び図６に示すように、粒状体１２がその自重により器具本体２の傾斜に応じて移動する。この結果、照明器具１全体の重心Ｇが移動する。しかも、このときの重心Ｇは、載置面２ａの床面Ｆに接触する部位と中心点Ｃとを結ぶ線上に位置し、かつ中心点Ｃより下側に位置する。したがって、器具本体２を傾斜させると、その状態に維持される。
【００１６】
収容空間１１を区画する下面には、多数の突出部１３が形成されている。各突出部１３は、収容空間１１の長手方向に互いに離れて配置さそれている。突出部１３の高さは、粒状体１２の平均高さより低く設定されている。したがって、突出部１３は、粒状体１２の移動を完全に阻止することはないが、少なくとも一部の粒状体１２の移動を規制する。すなわち、器具本体２を所定の角度傾斜させると、粒状体１２の一部は突出部１３を乗り越えて移動するが、他の一部は突出部１３の壁部によって留められて、その移動が規制される。
【００１７】
上記構成の照明器具１において、光の照射方向を所望の方向に向ける場合には、照射方向が所望の方向になるように例えば器具本体２を床面Ｆ上を転動させてその姿勢を変える。すると、粒状体１２が収容空間１１内を器具本体２の姿勢に応じて移動し、照明器具１全体の重心Ｇの位置が変わる。このときの重心Ｇは、載置面２ａの床面Ｆに対する接触部位と中心点Ｃとを結ぶ線上において中心点Ｃより下側に位置する。したがって、照明器具１は、変更された姿勢に維持され、照射方向が所望の方向に維持される。
【００１８】
ところで、粒状体１２が円滑に移動することができれば、照明器具１の照射方向をより容易に変更することができるが、粒状体１２を過度に移動し易くすると、器具本体２に僅かな外力が作用しただけでその姿勢が変わり、照射方向が安定しなくなってしまう。その点、この照明器具１においては、収容空間１１を区画する下面に突起部１３が形成され、それによって粒状体１２の移動を規制しているので、姿勢を維持し易くすることができ、照射方向を安定させることができる。
【００１９】
また、この照明器具１は、上下が逆になるようにひっくり返ると、自重によって移動する球体７によって切換スイッチ６が切断状態になり、電球４が消灯される。したがって、電球４の熱によって火災が発生するような自体を未然に防止することができる。特に、この実施の形態では球体７が支持筒５内を転動するので、照明器具１の上下逆になるまでひっくり返ることなく、その姿勢が中立姿勢から９０°以上変わっただけでも、球体７が支持筒５内を転動して接続位置から切断位置まで移動する。したがって、火災等の発生をより一層確実に防止することができる。
【００２０】
図７及び図８は、この発明の第２実施の形態を示す。この実施の形態においては、上記実施の形態の重心位置変更手段１０に代えて重心位置変更手段１０Ａが用いられている。重心位置変更手段１０Ａは、器具本体２の内部に設けられた第１及び第２収容空間（収容空間）１１Ａ，１１Ｂを有している。第１、第２収容空間１１Ａ，１１Ｂは、器具本体２の下端部に設けられている。第１収容空間１１Ａは、中心線Ｌを含む平面上に配置されており、載置面２ａに沿って円弧状に延びている。しかも、第１収容空間１１Ａは、中心線Ｌに関して対称に形成されている。第２収容空間１１Ｂは、第１収容空間１１Ａに対して上側に隣接して配置されている。第２収容空間１１Ｂは、中心線を含み、かつ第１収容空間１１Ａが配置された平面と直交する平面上に、載置面２ａに沿って円弧状に形成されている。勿論、第２収容空間１１Ｂも中心線Ｌに関して対象に形成されている。その他の構成は、上記実施の形態と同様である。
【００２１】
第２の実施の形態の照明器具１によれば、第１、第２収容空間１１Ａ，１１Ｂが器具本体２の下端部に載置面２ａに沿うように形成されているので、器具本体２の姿勢に拘わらず粒状体１２が常に器具本体２の下端部に位置する。したがって、照明器具１の重心Ｇを上記の実施の形態の場合より下側に位置させることができる。よって、照明器具１の姿勢を安定して維持することができ、ひいては照明方向を安定させることができる。
【００２２】
なお、この発明は、上記の実施の形態に限定されるものでなく、その要旨を逸脱しない範囲において適宜変更可能である。
例えば、重心位置変更手段は、上記後の実施の形態の収容空間１１Ａ，１１Ｂと同様に載置面２ａに沿って延びる二つのガイド部と、各ガイド部にその長手方向へ移動可能に設けられた金属製の錘部材（可動錘）とによって構成してもよい。その場合には、ガイド部と錘部材との間に作用する摩擦抵抗を移動規制手段とすることができる。
【産業上の利用可能性】
【００２３】
この発明に係る照明器具は、陳列ルームの床面に載置される照明器具として、特に陳列ルームの壁面等に陳列された商品を斜め下方から照明するための照明器具として使用することができる。
【図面の簡単な説明】
【００２４】
【図１】図１はこの発明の第１実施の形態を示す図であって、図２のＹ−Ｙ線に沿う断面図である。
【図２】図２は図１のＸ−Ｘ線に沿う断面図である。
【図３】図３は、照射方向が上方になっているときの第１実施の形態の概略構成を示す断面図である。
【図４】図４は、照射方向が上方になっているときの収容空間による粒状体の収容状態を示す平面図である。
【図５】図５は、照射方向が斜め上方になっているときの第１の実施の形態の概略構成を示す断面図である。
【図６】図６は、照射方向が斜め上方になっているときの収容空間による粒状対の収容状態を示す平面図である。
【図７】図７はこの発明の第２実施の形態の概略構成を示す断面図である。
【図８】図８は同実施の形態の概略構成を示す平面図である。
【符号の説明】
【００２５】
Ｃ  球面の中心
Ｇ  照明器具の重心
Ｌ  中心線（載置面の中央と球面の中心とを結ぶ線）
１    照明器具
２    器具本体
２ａ  載置面
２ｂ  反射面
３    ソケット（取付部）
４    電球（電灯）
６  切換スイッチ
７  球体（可動部材）
１０  重心位置変更手段
１０Ａ  重心位置変更手段
１１  収容空間
１１Ａ  第１収容空間（収容空間）
１１Ｂ  第２収容空間（収容空間）
１２  粒状体（可動錘）
１３  突出部
【図１】
2006253064.tif 000003
【図２】
2006253064.tif 000004
【図３】
2006253064.tif 000005
【図４】
2006253064.tif 000006
【図５】
2006253064.tif 000007
【図６】
2006253064.tif 000008
【図７】
2006253064.tif 000009
【図８】
2006253064.tif 000010